(57)【要約】【課題】排水装置の密閉栓の径の違いにかかわらず使用できるとともに、密閉栓の取付け高さを容易に確認することができるリフトゲージを提供する【解決手段】密閉栓の昇降により排水口の開閉を行う排水装置において、前記密閉栓の取付け高さを前記密閉栓が上昇された状態で確認するリフトゲージであって、前記密閉栓の上面を跨ぐ横架部と、前記横架部の両端から垂下され前記密閉栓の周縁部の一部を囲むとともに、その下端が前記排水口の基準面に対応する形状をなす側壁部とを備え、前記側壁部を前記基準面に載置させたときの前記横架部の内側の高さは、前記密閉栓の上面において前記密閉栓の取付け高さの上限であるリフトゲージ及び該リフトゲージの使用方法である。【選択図】図２
2014040740.tif 000002
【特許請求の範囲】
【請求項１】
密閉栓の昇降により排水口の開閉を行う排水装置において、前記密閉栓の取付け高さを前記密閉栓が上昇された状態で確認するリフトゲージであって、
前記密閉栓の上面を跨ぐ横架部と、
前記横架部の両端から垂下され前記密閉栓の周縁部の一部を囲むとともに、その下端が前記排水口の基準面に対応する形状をなす側壁部とを備え、
前記側壁部を前記基準面に載置させたときの前記横架部の内側の高さは、前記密閉栓の上面において前記密閉栓の取付け高さの上限であることを特徴とするリフトゲージ。
【請求項２】
密閉栓の昇降により排水口の開閉を行う排水装置において、前記密閉栓の取付け高さを前記密閉栓が上昇された状態で確認するリフトゲージであって、
前記密閉栓の上面を跨ぐ横架部と、
前記横架部の両端から垂下され前記密閉栓の周縁部の一部を囲む側壁部と、
前記側壁部下端から前記密閉栓の内周方向に突出するとともに、前記周縁部と前記排水口の基準面との隙間に遊嵌される脚部とを備え、
前記脚部を前記基準面に載置させたときの前記横架部の内側の高さは、前記密閉栓の上面において前記密閉栓の取付け高さの上限であることを特徴とするリフトゲージ。
【請求項３】
前記脚部を前記基準面に載置させたときの前記脚部の上端の高さは、前記周縁部の下面において前記密閉栓の取付け高さの下限位置であることを特徴とする請求項２に記載のリフトゲージ。
【請求項４】
前記リフトゲージは、その垂直方向に面をなす板材からなることを特徴とする請求項１ないし３のいずれか１項に記載のリフトゲージ。
【請求項５】
請求項１ないし４のいずれか１項に記載されたリフトゲージの下端を前記基準面に載置させ、前記密閉栓の取付け高さの上限を判定する密閉栓取付け高さ確認方法において、
前記密閉栓の上面と前記横架部の内側が接触することにより前記リフトゲージの下端が前記基準面から浮くときを不良、浮かないときを良とする、
ことを特徴とする密閉栓取付け高さ確認方法。
【発明の詳細な説明】
【技術分野】
【０００１】
本発明は、浴槽、洗面台等に設けられる排水装置において、排水口の開閉を行う密閉栓の取付け高さが、所定の範囲内に収まっているかを施工時に確認するためのリフトゲージ及びその使用方法に関する。
【背景技術】
【０００２】
従来、図８（Ａ）に示すように、レリースワイヤ等により遠隔操作される排水装置５２０の密閉栓５２１の取付け高さを、その施工時に確認するためのリフトゲージとして棒ゲージ５４０がある。この棒ゲージ５４０は、球形をなす掴部５４１と、前記掴部５４１から延びる棒部５４２と、棒部５４２先端に設けられた釣鐘状の測定部５４３からなり、前記測定部５４３の所定の高さの位置に、マーキング５４４が施されている。密閉栓５２１の取付け高さを確認する場合、測定部５４３の底面５４５を、密閉栓５２１の高さを確認するための基準面５２４である排水口金具５２５のフランジ部上面５２６に載置させるとともに、測定部５４３の側面を密閉栓５２１の周縁部５２３にあてがい、周縁部５２３とマーキング５４４の高さのずれを見て密閉栓５２１の取付け高さの確認を行っていた。
【発明の概要】
【発明が解決しようとする課題】
【０００３】
しかし、近年、図８（Ｂ）に示すように、排水装置６２０の外観を向上させるために、密閉栓６２１を排水口金具６２５のフランジ部上面６２６と略同じ径又はそれ以上に大径化した排水装置６２０が製造販売されている。このような排水装置６２０において、基準面６２４を排水口金具６２５のフランジ部上面６２６とすると、従来の棒ゲージ５４０では密閉栓６２１の取付け高さの確認ができず、密閉栓６２１の径の大きさにより複数種類の棒ゲージを用意する必要があるという課題があった。また、従来の棒ゲージでは、目視により密閉栓の取付け高さの確認を行っているが、この取付け高さの確認をするにあたり、浴槽、洗面台等の槽体の形状から、斜め上方からしか目視することができず、密閉栓の取付け高さの確認がしづらいという課題もあった。
【０００４】
本発明は、上記の点に鑑みなされたもので、その目的は、浴槽、洗面台等の施工時に密閉栓の取付け高さを確認するリフトゲージにおいて、密閉栓の径の違いにかかわらず使用できるとともに、密閉栓の取付け高さを容易に確認することができるリフトゲージを提供することにある。
【課題を解決するための手段】
【０００５】
第１の発明は、密閉栓の昇降により排水口の開閉を行う排水装置において、前記密閉栓の取付け高さを前記密閉栓が上昇された状態で確認するリフトゲージであって、前記密閉栓の上面を跨ぐ横架部と、前記横架部の両端から垂下され前記密閉栓の周縁部の一部を囲むとともに、その下端が前記排水口の基準面に対応する形状をなす側壁部とを備え、前記側壁部を前記基準面に載置させたときの前記横架部の内側の高さは、前記密閉栓の上面において前記密閉栓の取付け高さの上限であることを特徴とする。
【０００６】
第１の発明のリフトゲージによれば、横架部と、横架部の両端から垂下される側壁部とを備えることにより、側面視でコ字形状をなしている。このため、前記コ字形状の内側に、密閉栓を嵌めるように、密閉栓の上方向からリフトゲージを被せることができる。また、密閉栓が取付け高さの上限に取り付けられているときの排水口の基準面から密閉栓上面の頂点までの高さと、リフトゲージの側壁部の下端から横架部の内側までの高さとが同じ寸法となっている。このため、密閉栓の取付け高さの上限の確認において、リフトゲージの側壁部を基準面に載置させたとき、横架部の内側と密閉栓の上面の頂点との間に隙間が生じている、又は横架部の内側と密閉栓の上面の頂点とが接触していても側壁部の下端が基準面から浮かなければ良である。
【０００７】
一方、横架部の内側が密閉栓の上面の頂点に接触することによりリフトゲージが押し上げられ、側壁部の下端が基準面から浮けば密閉栓の取付け高さが高すぎて不良である。このように、従来の密閉栓の取付け高さの確認を目視により行う棒ゲージと比較して、密閉栓の取付け高さの合否判定を確実かつ容易にすることができる。
【０００８】
また、側壁部の下端が、基準面に対応する形状となっているため、基準面がすり鉢状に凹んでいる場合でも、リフトゲージを容易に所定の位置に合わせることができる。ここで、基準面とは、密閉栓の高さを相対的に確認できる場所をいい、排水口金具のフランジ部上面、槽体等があるが、本発明においては密閉栓の周辺の槽体が好ましい。なお、リフトゲージを密閉栓に被せ、密閉栓の取付け高さの判定をするときのリフトゲージの水平方向の位置は、横架部が排水装置の中心軸上にあることが好ましい。この、取付け高さの判定をするときのリフトゲージの位置は、以下の発明に係るリフトゲージにおいても同様である。
【０００９】
また、リフトゲージが密閉栓に被された状態では、側壁部が密閉栓の周縁部の一部を囲んでいるため、横架部の長手方向へのリフトゲージの移動が制限され、リフトゲージの位置決めがしやすい。また、密閉栓の取付け高さを、密閉栓の径の大きさに係らず略同じにすることにより、密閉栓の径の大小に係らず１種類のリフトゲージで、複数種類の排水装置に係る密閉栓の取付け高さの確認ができる。この１種類のリフトゲージが、複数種類の排水装置に適用できる作用効果は以下の発明においても同様である。
【００１０】
第２の発明は、密閉栓の昇降により排水口の開閉を行う排水装置において、前記密閉栓の取付け高さを前記密閉栓が上昇された状態で確認するリフトゲージであって、前記密閉栓の上面を跨ぐ横架部と、前記横架部の両端から垂下され前記密閉栓の周縁部の一部を囲む側壁部と、前記側壁部下端から前記密閉栓の内周方向に突出するとともに、前記周縁部と前記排水口の基準面との隙間に遊嵌される脚部とを備え、前記脚部を前記基準面に載置させたときの前記横架部の内側の高さは、前記密閉栓の上面において前記密閉栓の取付け高さの上限であることを特徴とする。
【００１１】
第２の発明のリフトゲージによれば、横架部と、横架部の両端から垂下される側壁部と、側壁部の下端から排水装置の内周方向に突出した脚部とを備えることにより、側面視でＣ字形状をなしている。このため、基準面の径と密閉栓の径が略同じである排水装置においても、前記Ｃ字形状の膨らみの内側に、密閉栓を嵌めるように、密閉栓の横方向からリフトゲージを差込み、脚部の下端を基準面に載置させることができる。また、密閉栓が取付け高さの上限に取り付けられているときの基準面から密閉栓上面の頂点までの高さと、リフトゲージの脚部の下端から横架部の内側までの高さとが同じ寸法となっている。このため、密閉栓の取付け高さの上限の確認において、リフトゲージの脚部を基準面に載置させたとき、横架部の内側と密閉栓の上面の頂点との間に隙間が生じている、又は横架部の内側と密閉栓の上面の頂点とが接触していても脚部の下端が基準面から浮かなければ良である。
【００１２】
一方、横架部の内側が密閉栓の上面の頂点に接触することによりリフトゲージが押し上げられ、脚部の下端が基準面から浮けば密閉栓の取付け高さが高すぎて不良である。このように、従来の密閉栓の取付け高さの確認を目視により行う棒ゲージと比較して、密閉栓の取付け高さの合否判定を確実かつ容易にすることができる。
【００１３】
ここで、基準面とは、第１の発明同様に密閉栓の高さを相対的に確認できる場所をいい、排水口金具のフランジ部上面、槽体等があるが、本発明においては排水口金具のフランジ部上面が好ましい。これにより、寸法的に安定した排水口金具のフランジ部上面を基準面とすることができ、合否判定の精度を向上させることができる。
【００１４】
また、リフトゲージが密閉栓に差込まれた状態では、側壁部が密閉栓の周縁部の一部を囲んでいるとともに、脚部が密閉性の周縁部と排水口の基準面との隙間に遊嵌されているため、横架部の長手方向及び垂直方向へのリフトゲージの移動が制限され、リフトゲージの位置決めがしやすい。
【００１５】
第２の発明のリフトゲージの好ましい例は、前記脚部を前記基準面に載置させたときの前記脚部の上端の高さは、前記周縁部の下面において前記密閉栓の取付け高さの下限位置であることを特徴とする。
【００１６】
第２の発明のリフトゲージの好ましい例によれば、密閉栓が取付け高さの下限に取り付けられているときの基準面から密閉栓の周縁部の下面までの高さと、リフトゲージの脚部の下端から上端までの高さが同じ寸法となっている。このため、密閉栓の取付け高さの下限の確認において、リフトゲージを密閉栓に差込み、脚部をフランジ部上面に載置させたとき、密閉栓の周縁部の下面と脚部の上端との間に隙間が生じている、又は密閉栓の周縁部の下面と脚部の上端が接触していても密閉栓が押し上げられなければ良である。
【００１７】
一方、密閉栓の周縁部の下面と脚部の上端が干渉することにより、リフトゲージを密閉栓に差込むことができない、又は差込むことができても、脚部上端が密閉栓の周縁部下面に接触することにより密閉栓が押し上げられれば密閉栓の取付け高さは不良である。このように、従来の密閉栓の取付け高さの確認を目視により行う棒ゲージと比較して、密閉栓の取付け高さの合否判定を確実かつ容易にすることができる。
【００１８】
上記の発明のリフトゲージの好ましい例は、その垂直方向に面をなす板材からなることを特徴とする。
【００１９】
上記の発明のリフトゲージの好ましい例によれば、リフトゲージが板材からなるため、リフトゲージの製作が容易となるとともにリフトゲージの重量及び体積も減少し、製作と輸送にかかる費用を低減できる。
【００２０】
上記の発明のリフトゲージを使用した密閉栓取付け高さ確認方法の発明は、リフトゲージの下端を前記基準面に載置させ、前記密閉栓の取付け高さの上限を判定する密閉栓取付け高さ確認方法において、前記密閉栓の上面と前記横架部の内側が接触することにより前記リフトゲージの下端が前記基準面から浮くときを不良、浮かないときを良とする、ことを特徴とする。
【００２１】
本発明の密閉栓取付け高さ確認方法によれば、上記の発明のリフトゲージで述べた理由により、当該リフトゲージと同じ作用効果が得られる。なお、リフトゲージの下端とは、脚部を備えないリフトゲージにおいては側壁部の下端、脚部を備えるリフトゲージにおいては脚部の下端をいう。
【発明の効果】
【００２２】
上記のとおり、本発明によれば、密閉栓の径の大小にかかわらず、密閉栓の取付け高さを確認することができ、１つのリフトゲージを複数種類の排水装置に使用することができる。また、密閉栓とリフトゲージとの間に隙間があるか、又は隙間がなく両者が接触している場合その位置関係が変化するか否かで密閉栓の取付け高さの確認をするため、浴槽、洗面台等の斜め上方からしか目視できない環境においても、確実かつ容易に取付け高さの合否判定をすることができる。
【図面の簡単な説明】
【００２３】
【図１】本発明の第１実施形態に係るリフトゲージを示す図である。
【図２】上記のリフトゲージを密閉栓の高さが正常である排水装置に使用している状態を示す一部断面図である。
【図３】上記のリフトゲージを密閉栓の高さが過度に高い排水装置に使用している状態を示す一部断面図である。
【図４】本発明の第２実施形態に係るリフトゲージを示す図である。
【図５】上記のリフトゲージを密閉栓の高さが正常である排水装置に使用している状態を示す一部断面図である。
【図６】上記のリフトゲージを密閉栓の高さが過度に高い排水装置に使用している状態を示す一部断面図である。
【図７】上記のリフトゲージを密閉栓の高さが過度に低い排水装置に使用している状態を示す一部断面図である。
【図８】従来の棒ゲージを示す図である。
【発明を実施するための形態】
【００２４】
［第１実施形態］
以下、第１実施形態を図１〜３を参照して詳細に説明する。図１は、本実施形態に係るリフトゲージの斜視図であり、図２は、密閉栓の取付け高さが正常（良）である排水装置にリフトゲージを使用している状態を示す一部断面図であり、図３は、密閉栓の取付け高さが高すぎ（不良）る排水装置にリフトゲージを使用している状態を示す一部断面図である。
【００２５】
図１（Ａ）（Ｂ）、図２（Ａ）（Ｂ）に示すように、本実施形態に係るリフトゲージ１０１，２０１は、排水装置１２０，２２０の密閉栓の上面１２２，２２２を跨ぐ横架部１０２，２０２と、横架部１０２，２０２の両端から垂下される側壁部１０４，２０４とを備える。また、リフトゲージ１０１，２０１は、その垂直方向に面をなす板材から構成されている。なお、この排水装置１２０，２２０は、密閉栓１２１，２２１の昇降により、排水口１３０，２３０の開閉を行うものであり、密閉栓１２１，２２１の下降時には排水口１３０，２３０が密閉栓１２１，２２１及びパッキン１２７，２２７により塞がれる。本実施形態に係るリフトゲージ１０１，２０１は、密閉栓１２１，２２１が上昇された状態で使用するものであり、図面も密閉栓が上昇された状態を示している。
【００２６】
横架部１０２，２０２は、水平方向に細長く形成されており、その両端は密閉栓の周縁部１２３，２２３より外周方向に突出している。また、側壁部の下端１０６，２０６から横架部の内側１０３，２０３までの高さＨ１，Ｈ３が、密閉栓の上面１２２，２２２の頂点において密閉栓１２１，２２１の取付け高さの上限となっている。
【００２７】
側壁部１０４，２０４は、その内側１０５，２０５で密閉栓の周縁部１２３，２２３の一部を囲んでいる。この側壁部の内側１０５，２０５と密閉栓の周縁部１２３，２２３との間には、リフトゲージ１０１，２０１が容易に着脱できる程度の隙間Ｓ１が形成されている。なお、本実施形態に係るリフトゲージ１０１，２０１は、密閉栓の径の小さな排水装置にも適用でき、その場合、前記隙間Ｓ１は密閉栓の径に応じて広くなる。また、側壁部の下端１０６，２０６は、基準面１２４，２２４である槽体１２８，２２８に対応する形状をなしている。例えば、図２（Ａ）においては、基準面１２４が水平のため、側壁部の下端１０６も水平となっており、一方、図２（Ｂ）においては、基準面２２４となる槽体２２８がすり鉢状に凹んでいるため、側壁部の下端２０６も基準面２２４に対応した傾斜形状となっている。
【００２８】
次に、本実施形態に係るリフトゲージ１０１，２０１の使用方法について説明する。図２（Ａ）（Ｂ）に示すように、密閉栓１２１，２２１の取付け高さが正常である場合、側壁部の下端１０６，２０６から横架部の内側１０３，２０３までの高さＨ１，Ｈ３より、基準面１２４，２２４となる密閉栓１２１，２２１の周辺の槽体１２８，２２８から密閉栓の上面１２２，２２２の頂点までの高さＨ２，Ｈ４が低くなっている。このため、リフトゲージ１０１，２０１を密閉栓１２１，２２１の上から被せ、側壁部の下端１０６，２０６を基準面１２４，２２４に載置させると、密閉栓の上面１２２，２２２の頂点と、横架部の内側１０３，２０３との間に隙間Ｓ２が形成される。このため、リフトゲージ１０１，２０１が密閉栓１２１，２２１により押し上げられることがなく、側壁部の下端１０６，２０６は基準面１２４，２２４に載置された状態となっている。
【００２９】
一方、図３（Ａ）（Ｂ）に示すように、密閉栓１２１，２２１の取付け高さが施工不良等により高すぎる場合、側壁部の下端１０６，２０６から横架部の内側１０３，２０３までの高さＨ１，Ｈ３より、基準面１２４，２２４から密閉栓の上面１２２，２２２の頂点までの高さＨ２，Ｈ４が高くなっている。このため、リフトゲージ１０１，２０１を密閉栓１２１，２２１の上から被せると、密閉栓の上面１２２，２２２の頂点と横架部の内側１０３，２０３とが接触し、側壁部の下端１０６，２０６を基準面１２４，２２４に載置させることができず、側壁部の下端１０６，２０６が基準面１２４，２２４から浮くことにより、これらの間に隙間Ｓ１１が生じる。
【００３０】
このように、本実施形態に係るリフトゲージによれば、密閉栓の周囲の槽体を基準面として密閉栓の取付け高さを確認するため、密閉栓の径の大小にかかわらず、例えば密閉栓の径が排水口金具のフランジ部上面の径より大きな排水装置においても、密閉栓の取付け高さを確認できるとともに、１つのリフトゲージで複数種類の排水装置に係る密閉栓の取付け高さを確認できる。また、密閉栓の取付け高さを、リフトゲージの側壁部の下端が基準面に載置されるか浮いているかで確認できるため、目視のみに頼る従来の棒ゲージに比べて容易に合否判定を行うことができる。さらに、基準面がすり鉢状に凹んでいる場合であっても、当該基準面の形状に対応させたリフトゲージを用いることで、容易に密閉栓の取付け高さを確認できる。またさらに、リフトゲージは、板材から構成されているため、製造及び輸送に係る費用を低減させることができる。
【００３１】
［第２実施形態］
次に、第２実施形態を図４〜７を参照して詳細に説明する。図４は、本実施形態に係るリフトゲージの斜視図であり、図５は、密閉栓の取付け高さが正常（良）である排水装置にリフトゲージを使用している状態を示す一部断面図である。また、図６は、密閉栓の取付け高さが高すぎ（不良）る排水装置にリフトゲージを使用している状態を示す一部断面図であり、図７は、密閉栓の取付け高さが低すぎ（不良）る排水装置にリフトゲージを使用している状態を示す一部断面図である。なお、この排水装置３２０の排水口３３０の開閉は、第１実施形態と同様のため説明を省略する。
【００３２】
図４（Ａ）（Ｂ）、図５に示すように、本実施形態に係るリフトゲージ３０１，４０１は、排水装置３２０の密閉栓の上面３２２を跨ぐ横架部３０２，４０２と、横架部３０２，４０２の両端から垂下される側壁部３０４，４０４と、側壁部３０４，４０４の下端から密閉栓３２１の内周方向に突出した脚部３０７，４０７とを備える。また、図４（Ａ）に示すリフトゲージ３０１は、その垂直方向に面をなす板材で構成されており、図４（Ｂ）に示すリフトゲージ４０１は、前記板材の厚みを増したブロック材で構成されている。
【００３３】
横架部３０２，４０２は、水平方向に細長く形成されており、その両端は密閉栓３２１の周縁部３２３より外周方向に突出している。また、脚部の下端３０８，４０８から横架部の内側３０３，４０３までの高さＨ５が、密閉栓の上面３２２の頂点において密閉栓３２１の取付け高さの上限となっている。
【００３４】
側壁部３０４，４０４は、その内側３０５，４０５で密閉栓の周縁部３２３の一部を囲んでいる。この側壁部の内側３０５，４０５と密閉栓の周縁部３２３との間には、リフトゲージ３０１，４０１が容易に着脱できる程度の隙間Ｓ３が設けられている。この隙間については、第１実施形態と同様であるため説明を省略する。
【００３５】
脚部３０７，４０７は、側壁部３０４，４０４の下端より密閉栓３２１の内周方向に突出されており、密閉栓３２１の周縁部の下面３２９と、基準面３２４である排水口金具３２５のフランジ部上面３２６との隙間に遊嵌されるとともに、該基準面３２４に載置されている。この突出される寸法は脚部３０７，４０７が基準面３２４に載置でき、かつ密閉栓３２１の内周方向に設けられたパッキン３２７、その他の構造物に干渉しない寸法であれば特に限定されない。
【００３６】
次に、本実施形態に係るリフトゲージ３０１，４０１の使用方法について説明する。図５に示すように、密閉栓３２１の取付け高さが正常である場合、脚部の下端３０８，４０８から横架部の内側３０３，４０３までの高さＨ５より、基準面３２４である排水口金具３２５のフランジ部上面３２６から密閉栓の上面３２２の頂点までの高さＨ６が低くなっている。このため、リフトゲージ３０１，４０１を密閉栓３２１の横から差込み、脚部の下端３０８，４０８を基準面３２４に載置させると、密閉栓の上面３２２の頂点と、横架部の内側３０３，４０３との間に隙間Ｓ４が形成される。このため、リフトゲージ３０１，４０１が密閉栓３２１により押し上げられることがなく、脚部の下端３０８，４０８は基準面３２４に載置された状態となっている。
【００３７】
また、同じく、密閉栓３２１の取付け高さが正常である場合、脚部の下端３０８，４０８から脚部の上端３０９，４０９までの高さＨ７より、基準面３２４から密閉栓の周縁部の下面３２９までの高さＨ８が高くなっている。このため、リフトゲージ３０１，４０１を密閉栓３２１の横から差込み、脚部の下端３０８，４０８を基準面３２４に載置させると、脚部の上端３０９，４０９と密閉栓３２１の周縁部の下面３２９との間に隙間Ｓ５が形成される。そして、脚部３０７，４０７は密閉栓３２１の周縁部の下面３２９と、排水口金具３２５のフランジ部上面３２６との隙間Ｓ５に遊嵌された状態となる。
【００３８】
一方、図６に示すように、密閉栓３２１の取付け高さが施工不良等により高すぎる場合、脚部の下端３０８，４０８から横架部の内側３０３，４０３までの高さＨ５より、基準面３２４である排水口金具３２５のフランジ部上面３２６から密閉栓の上面３２２の頂点までの高さＨ６が高くなっている。このため、リフトゲージ３０１，４０１を密閉栓３２１の横から差込むと、密閉栓の上面３２２の頂点と横架部の内側３０３，４０３とが接触し、リフトゲージ１０１，２０１が押し上げられ、脚部の下端３０８，４０８が基準面３２４から浮くことにより、これらの間に隙間Ｓ１２が形成される。
【００３９】
また、図７（Ａ）に示すように、密閉栓３２１の取付け高さが施工不良等により低すぎる場合、脚部の下端３０８，４０８から脚部の上端３０９，４０９までの高さＨ７より、基準面３２４から密閉栓３２１の周縁部の下面３２９までの高さＨ８が低くなる。このため、密閉栓３２１の周縁部の下面３２９と脚部の上端３０９，４０９が干渉することにより、リフトゲージ３０１，４０１を密閉栓３２１の横から差込むことができないか、差込むことができても図７（Ｂ）に示すように、脚部の上端３０９，４０９と密閉栓３２１の周縁部の下面３２９とが接触することにより、密閉栓３２１が上方向に押し上げられる。
【００４０】
このように、本実施形態に係るリフトゲージによれば、排水口金具のフランジ部上面を基準面として密閉栓の取付け高さを確認するため、密閉栓の径がフランジ部上面の径と略同じ径までであれば、その径の大小にかかわらず１つのリフトゲージで複数種類の排水装置に係る密閉栓の取付け高さを確認できる。また、密閉栓の取付け高さの上限の確認を、リフトゲージの脚部の下端が基準面に載置されるか浮いているかでできるとともに、密閉栓の取付け高さの下限の確認を、リフトゲージを密閉栓の横から差込めるか、又は脚部の上端が密閉栓の周縁部の下面に接触し密閉栓を押し上げているかでできるため、目視のみに頼る従来の棒ゲージに比べて確実かつ容易に合否判定を行うことができる。
【００４１】
また、基準面として寸法的に安定しているフランジ部上面を使用するため、密閉栓の取付け高さの合否判定の精度を向上させることができる。さらに、板材から構成されているリフトゲージ（図４（Ａ）参照。）は、製造及び輸送に係る費用を低減させることができ、ブロック材で構成されているリフトゲージ（図４（Ｂ）参照。）は、脚部を基準面に載置させたときに自立させることができ、密閉栓の取付け高さの確認が容易となる。
【００４２】
なお、上述した実施形態は、本発明のリフトゲージ及び該リフトゲージを用いた密閉栓取付け高さ確認方法の例示であり、本発明の趣旨を逸脱しない範囲において、構成の一部を適宜変更して実施できる。例えば、第１実施形態において、基準面１２４，２２４を排水口金具１２５，２２５のフランジ部上面１２６，２２６としてもよいし、第２実施形態において、基準面３２４を密閉栓３２１の周辺の槽体３２８としてもよい。
【符号の説明】
【００４３】
１０１，２０１，３０１，４０１・・・リフトゲージ、１０２，２０２，３０２，４０２・・・横架部、１０３，２０３，３０３，４０３・・・横架部の内側、１０４，２０４，３０４，４０４・・・側壁部、１０５，２０５，３０５，４０５・・・側壁部の内側、１０６，２０６・・・側壁部の下端、３０７，４０７・・・脚部、３０８，４０８・・・脚部の下端、３０９，４０９・・・脚部の上端、
１２０，２２０，３２０，５２０，６２０・・・排水装置、１２１，２２１，３２１，５２１，６２１・・・密閉栓、１２２，２２２，３２２・・・密閉栓の上面、１２３，２２３，３２３，５２３・・・周縁部、１２４，２２４，３２４，５２４，６２４・・・基準面、１２５，２２５，３２５，５２５，６２５・・・排水口金具、１２６，２２６，３２６，５２６，６２６・・・フランジ部上面、１２７，２２７，３２７・・・パッキン、１２８，２２８，３２８・・・槽体，３２９・・・周縁部の下面、１３０，２３０，３３０・・・排水口、
５４０・・・棒ゲージ、５４１・・・掴部、５４２・・・棒部、５４３・・・測定部、５４４・・・マーキング、５４５・・・底面
【図１】
2014040740.tif 000003
【図２】
2014040740.tif 000004
【図３】
2014040740.tif 000005
【図４】
2014040740.tif 000006
【図５】
2014040740.tif 000007
【図６】
2014040740.tif 000008
【図７】
2014040740.tif 000009
【図８】
2014040740.tif 000010